(57)【要約】【課題】本発明の目的は、天井面或いは壁面に取付けられて用いる照明器具において、グレアを緩和し、かつ器具の小型化、意匠性の向上に好適な照明器具を提供することである。【解決手段】本発明では、光源０４を包囲し下面側に開口部を形成した透光性を有する第一のカバー０５と光源０４の間に、光源を一部もしくは全体を覆うように光源の周囲に配設された透光性を有する第二のカバー０６を設けた。これにより、光源０４が直接視野に入りづらくなり、さらに照射される光が拡散され柔らげられるため、グレアが緩和される。また、グレアを生ずる範囲θを第一のカバー０５のみで満足した場合に比べ、器具全長を△Ｌ１だけ短くでき、小型化することができる。【選択図】　図１
2004103323.tif 000002
【特許請求の範囲】
【請求項１】
天井面或いは壁面に取付けられて、光源を包囲し下面側に開口部を形成した透光性を有する第一のカバーを具備した照明器具において、前記第一のカバーと光源との間に光源の一部もしくは全体を覆うように光源の周囲に配設された透光性を有する第二のカバーを設けたことを特徴とする照明器具。
【請求項２】
天井面或いは壁面に取付けられて、光源を包囲し下面側に開口部を形成した透光性を有する第一のカバーを具備した照明器具において、前記第一のカバーと光源との間で、光源の先端より下方側に配設された透光性を有する第二のカバーを設けたことを特徴とする照明器具。
【請求項３】
請求項１又は２に記載の照明器具において、前記第二のカバーの一部が前記第一のカバー先端より下方に突出して形成されていることを特徴とする照明器具。
【請求項４】
請求項１乃至３の何れかに記載の照明器具において、前記第二のカバーの一部は他の部分の光の透過率よりも低いことを特徴とする照明器具。
【請求項５】
請求項４記載の照明器具において、前記第二のカバーは水平方向に回動可能であることを特徴とする照明器具。
【請求項６】
請求項４又は５に記載の照明器具において、前記第二のカバーは鉛直方向に位置調整が可能であることを特徴とする照明器具。
【請求項７】
請求項５又は６に記載の照明器具において、前記第二のカバーの回動または位置調整を固定する固定手段を設けたことを特徴とする照明器具。
【請求項８】
請求項１乃至７の何れかに記載の照明器具において、前記第二のカバーの光源より下方側に拡散レンズを形成したことを特徴とする照明器具。
【請求項９】
請求項１乃至７の何れかに記載の照明器具において、前記第二のカバーの光源より下方側に集光レンズを形成したことを特徴とする照明器具。
【請求項１０】
請求項１乃至７の何れかに記載の照明器具において、前記第二のカバーの光源より下方側に遮光部を設けたことを特徴とする照明器具。
【請求項１１】
請求項１０記載の照明器具において、前記遮光部は、光源側に対向する面を反射面としたことを特徴とする照明器具。
【請求項１２】
請求項１乃至１１の何れかに記載の照明器具において、前記第二のカバー側面側の一部又は全面に拡散レンズを形成したことを特徴とする照明器具。
【発明の詳細な説明】
【０００１】
【発明の属する技術分野】
本発明は天井面或いは壁面に取付けられ、光源を包囲するカバーを具備した照明器具に係り、特にグレアを緩和し、かつ器具の小型化、意匠性の向上に好適な照明器具に関する。
【０００２】
【従来の技術】
従来より、天井面或いは壁面に取付けて使用する照明器具について、照明器具の光源からの光に対して配光を行う配光制御具を配設している。例えば、図１３は、従来の照明器具の第１の例を示すものであり、この照明器具は、器具本体（図示せず）と、反射体２１、ソケット１３、ランプ１４及び配光制御具２２とを有して構成されている。
【０００３】
また、図１４は、従来の照明器具の第２の例を示すものであり、構成は第１の例と同様に構成されている。
【０００４】
反射体２１は、略回転二次曲面状の形状を有して前面側に開口してなり、その中心軸上の後面側にソケット１３が配設され、そのソケット１３にランプであるハロゲンランプ１４が装着されている。また、ハロゲンランプ１４の前面側には、グレアをカットするために、配光制御具であるランプキャップ２２が配設されている。
【０００５】
ランプキャップ２２は、筒状の一端側を上板２２ｂで塞いで形成されたもので、その筒状の部分の径が、ランプであるハロゲンランプ１４の径よりも少し大きく、グレアを生ずる方向である所定方向への光を遮光できる大きさで、反射板２１の前面側の径よりも十分小さいものとされている。
また、上板２２ｂは、ランプ１４からの光を反射板１の方向へ反射するように、略回転二次曲面状の断面形状を有してランプ１４の反対側方向である下方に窪んだ構成とされ、その上板２２ｂの外面側にあるランプ１４側の面が、例えばアルミ蒸着や銀蒸着、電解研磨等の手段により鏡面仕上げされて高反射率の面である反射面２２ａとされ、その反射面２２ａ側がランプ１４の先端部に対向するように、つまり、ランプ１４の軸とランプキャップ２２の軸を合わせて反射面２２ａの窪んだ側がランプ１４側となるように、器具本体に反射板２１の開口を横切る方向に伸びる支持バー（図示せず）により固着されている。
また、筒状の部分の外側面は、黒色塗装がされて低反射率面とされている。（例えば、特許文献１参照）
【０００６】
図１５は従来の照明器具の第３の例を示すものであり、この照明器具０１は、本体０２、ソケット０３、ランプ０４、カバー０５を有して構成されている。
【０００７】
天井面１００に取付けられた本体０２下方側にソケット０３が配設され、そのソケット０３にランプである白熱ランプ０４が装着されている。カバー０５は乳白色の透光性材料からなり、ソケット０３、白熱ランプ０４を覆うような形状で、下方側に中央に略円形の開口部を形成してなる。
【０００８】
【特許文献１】
特開平０８−１７２２５号公報（第４−５、４−６頁　第１図、第５図）
【０００９】
【発明が解決しようとする課題】
しかしながら、従来の照明器具では、主にダウンライトやスポットライトなどの器具にグレア防止の対策としてランプキャップやバッフルなどの配光制御具が用いられ、その配光制御具は、不透光でその表面が黒色塗装されているために、ランプキャップやバッフルに当たった光の大部分は、そこで吸収されて有効に利用されず、したがって、器具効率が低下してしまう場合があった。
もしくは、ランプの周を略囲った反射体とランプキャップやバッフルの表面を反射面とし、その組み合わせによって、器具効率を向上させるため、器具が高価になってしまう場合もあった。
【００１０】
また、天井面或いは壁面に取付けられて、光源を包囲し下面側に開口部を形成した透光性を有するカバーを具備した照明器具におけるグレア防止の対策としては、カバーの先端を下方にのばしグレアの範囲を狭くするため器具が大型化してしまう、もしくは別の対策としてカバーの先端を内側にのばすため、ブロー成形等にてカバーを成形した後にカバー下面中央部のみを略円形にカットするなどの後加工が別途必要となり、器具が高価になるという問題点があった。
【００１１】
本発明は、上記課題を解決するためになされたもので、本発明の目的は、天井面或いは壁面に取付けて用いる照明器具において、グレアを緩和し、かつ器具の小型化、意匠性の向上に好適な照明器具を提供することにある。
【００１２】
【課題を解決するための手段】
上記目的を達成するために請求項１は、光源を包囲し下面側に開口部を形成した透光性を有する第一のカバーと、前記第一のカバーと光源との間に光源の一部もしくは全体を覆うように光源の周囲に配設された透光性を有する第二のカバーを設けていることである。
【００１３】
これにより、光源が直接視野に入りづらくなるためグレアとなる範囲が狭まり、グレアを生ずる方向である所定方向への光を柔らげるため、グレアを緩和することができる。さらに第二のカバーは透光性を有しているため、光源から照射される光の損失を抑えることができ器具効率が向上する。さらに、第一のカバーの先端をグレアをカットできる最小限の高さ寸法に設定でき、全体的な器具の出っ張り感を抑えられ、意匠性が向上し、器具が空間に与える圧迫感を軽減できる。
【００１４】
請求項２では、光源を包囲し下面側に開口部を形成した透光性を有する第一のカバーと、前記第一のカバーと光源との間で、光源の先端より下方側に配設された透光性を有する第二のカバーを設けていることである。
【００１５】
これにより、光源が直接視野に入りづらくなるためグレアとなる範囲が狭まり、グレアを生ずる方向である所定方向への光を柔らげグレアを緩和することができる。
また、光源と第二のカバーの距離が離れるため材料の耐熱グレードを落とすことができ、第二のカバーの低コスト化、小型化を図ることができ、さらに第二のカバーにより吸収される光が減少され器具効率が向上する。
また、第一のカバーの先端をグレアをカットできる最小限の高さ寸法に設定でき、全体的な器具の出っ張り感を抑えられ、意匠性が向上し、器具が空間に与える圧迫感を軽減できる。
【００１６】
請求項３では、請求項１又は２の発明の場合において、前記第二のカバーの一部が前記第一のカバー先端より下方に突出して形成していることである。
【００１７】
これにより、グレアをカットする範囲が広がり、また第一のカバーの先端をグレアをカットできる最小限の高さ寸法に設定でき、全体的な器具の出っ張り感を抑えられ、意匠性が向上し、器具が空間に与える圧迫感を軽減できる。
【００１８】
請求項４では、請求項１乃至３の何れかの発明の場合において、前記第二のカバーの一部は他の部分の光の透過率よりも低くしていることである。
【００１９】
これにより、特定方向のグレアを緩和し、その他の部分は光が透過しやすくなるようにしているため、光源から照射される光の損失を抑え器具効率が向上する。
【００２０】
請求項５では、請求項４の発明の場合において、前記第二のカバーは水平方向に回動可能にしていることである。
【００２１】
これにより、照明器具取付前に第二のカバーの方向を考慮にいれなくてもよいので、取付方向を間違えるという施工ミスがなくなる。
【００２２】
請求項６では、請求項４又は５の何れかの発明の場合において、前記第二のカバーは鉛直方向に位置調整が可能としていることである。
【００２３】
これにより、身長の異なる使用者の目の高さに合わせて、第二のカバーの位置を調整することができる。また、照明器具設置後、年月が経過しても、例えば身長が伸びたなどの使用者の加齢による身体変化に応じて、第二のカバーの位置を調整し、グレアをカットする範囲を調整することが可能となる。
【００２４】
請求項７では、請求項５又は６の発明の場合において、前記第二のカバーの回動を固定する固定手段を設けていることである。
【００２５】
これにより、特定方向に向けた第二のカバーの位置を確実に固定することができ、掃除などの際に誤って第二のカバーに触れグレアをカットする方向がずれてしまうのを防ぐことができる。
【００２６】
請求項８では、請求項１乃至７の何れかの発明の場合において、前記第二のカバーの光源より下方側に拡散レンズを形成していることである。
【００２７】
これにより、光源から前面に照射される光が柔らげられ、器具下方から器具を見た場合の眩しさによる不快感を軽減することができる。
【００２８】
請求項９では、請求項１乃至７の何れかの発明の場合において、前記第二のカバーの光源より下方側に集光レンズを形成していることである。
【００２９】
これにより、器具下方にスポット光を照射でき、器具下方に設置された物や場所を照らすことができるため、照明器具が設置された空間の演出効果が向上する。また、別途新たなスポット照明器具の購入、取付工事が不要で経済的である。
【００３０】
請求項１０では、請求項１乃至７の何れかの発明の場合において、前記第二のカバーの光源より下方側に遮光部を設けていることである。
【００３１】
これにより、器具真下から器具を見上げても、光原が直接視野に入ることが無く、眩しさによる不快感が無くなる。
【００３２】
請求項１１では、請求項１０の発明の場合において、前記遮光部の光源側に向く面を反射面としていることである。
【００３３】
これにより、光源が直接視野に入ることが無く、遮光部に吸収される光が有効に利用され器具効率が向上する。
【００３４】
請求項１２では、請求項１乃至１１の何れかの発明の場合において、前記第二のカバー側面側の一部又は全面に拡散レンズを形成していることである。
【００３５】
これにより、拡散レンズで光が拡散されるため、グレアを生ずる所定方向への光を柔らげ、よりグレアを緩和できる。
【００３６】
【発明の実施の形態】
図１、図２は本発明の第１の実施の形態に係る照明器具の一部破断側面図、底面図である。
【００３７】
照明器具０１は、本体０２、ソケット０３、ランプ０４、第一のカバー０５及び第二のカバー０６とを有して構成されている。
【００３８】
天井面１００に取付けられた本体０２の下方側にソケット０３が配設され、そのソケット０３にランプである白熱ランプ０４が装着されている。第一のカバー０５は乳白色の透光性材料からなり、ソケット０３、白熱ランプ０４を覆うような形状で、下方側は開口してなり、上方側の係合部０５ａが本体０２に固定されている。また、白熱ランプ０４と第一のカバー０５との間には、第二のカバー０６が配設されている。
【００３９】
第二のカバー０６は、乳白色の透光性材料からなり、小径の筒状で、その径は、白熱ランプ０４よりも少し大きく、グレアを生ずる所定の方向への光を拡散することによりグレアを柔らげるものであり、第一のカバー０５の下方側の開口径よりも小さいものとされる。また、第二のカバー０６は、第一のカバー０５と一体にて成形されている。
【００４０】
第二のカバー０６により、光源が直接視野に入りづらくなりグレアを生ずる方向である所定方向の範囲を狭めることができる。さらにグレアを生ずる方向である所定方向に照射される光は、第二のカバー０６で拡散され柔らげられるため、グレアが緩和される。
【００４１】
また、グレアを生ずる範囲をθとすると、同範囲を第二のカバー０６を用いず、従来の照明器具と同様第一のカバー０５のみで満足しようとすると、カバー先端を下方に△Ｌ１のばす必要がある。逆に言うと、第二のカバー０５を配設することにより、器具全長を△Ｌ１だけ短くでき、器具を小型化することができると言える。
【００４２】
図３は、本発明の第２の実施の形態に係る照明器具の一部破断側面図である。
【００４３】
第１の実施の形態と異なる点は、第二のカバー０６が第一のカバー０５の先端より下方に突出して配設させた点であり、他は第１の実施の形態と同様に構成されている。
【００４４】
これにより、グレアを生ずる範囲θを第一のカバー０５のみで満足した場合に比べ、器具全長△Ｌ１だけ短くでき、さらに第一のカバーをグレアを生じない範囲でさらに△Ｌ２短くできるため、全体的な器具の出っ張り感が抑えられることにより意匠性が向上し、器具が空間に与える圧迫感をさらに軽減できる。
【００４５】
図４、図５は、本発明の第３の実施の形態に係る照明器具の一部破断側面図、底面図である。
【００４６】
第２の実施の形態と異なる点は、第二のカバー０６を第一のカバー０５とは別に成形し、第二のカバー０６の一部にカバーの他の部分よりも透過率の低い低透過率部０６ａを設け、第二のカバー０６を水平方向、鉛直方向に位置調整可能とし、調整した位置がずれないように回動固定ネジ０７で固定可能とした点と、第二のカバー０６が、周方向にのびた４本のアーム０６ｂの先端と、第一のカバー０５の表面に形成された勘合溝０５ｂが係合することにより、第一のカバー０５に係合された点であり、その他は第２の実施の形態と同様に構成されている。
【００４７】
勘合溝０５ｂは第一のカバー０５の側面上に凹形状で周方向に連続して形成されているため、第二のカバー０６は水平方向に回動可能であり、設置場所の状況・使用者の身長等に応じ、低透過率部０６ａはグレアを生ずる特定の方向に調整可能となる。
【００４８】
また、第二のカバー０６はアーム０６ｂに回動固定ネジ０７を取付けており、ネジを締め付けることによって、第二のカバー０６の水平方向の回転を押さえることができるため、低透過率部０６ａを特定方向に調整後確実に固定でき、掃除などの際に誤って触れ、位置がずれてしまうのを防ぐことができる。
【００４９】
また、勘合溝０５ｂは鉛直方向に複数個位置をかえ並列して設けられているため、係合する溝位置をかえることにより、第二のカバー０６の鉛直方向へも位置調整が可能となる。
【００５０】
これにより、照明器具設置後、年月が経過しても、例えば身長が伸びたなどの使用者の加齢による身体変化に応じて、勘合溝０５ｂとの勘合位置をかえることにより、第二のカバー０６の位置を変えることができ、グレアをカットする範囲を調整することが可能となる。
【００５１】
また、第二のカバー０６の低透過率部０６ａ以外の部分は光が透過しやすくなるようにしているため、光源から照射される光の損失を抑え器具効率が向上する。
【００５２】
なお本実施例において第二のカバー０６の低透過率部０６ａは、例えばその他のカバー部分より低透過率の部材をインサート成形する、もしくは、その他の部分より低透過率の樹脂フィルム貼り付ける、その他の部分より板厚を厚くするなどして透過率を低くするなどして形成する。
【００５３】
図６、図７は、本発明の第４の実施の形態に係る照明器具の一部破断側面図、底面図である。
【００５４】
第２の実施の形態と異なる点は、第二のカバー０６の下方に、乳白色の透光性材料から成る拡散レンズ部０８を設けた点であり、他は第２の実施の形態と同様に構成されている。
【００５５】
拡散レンズ０８の断面形状は下方に凸形状の波形であり、光源の中心軸に対し略同心円状に形成されている。このようなレンズを取付けると、光は拡散される。
【００５６】
その結果、拡散レンズ部０８により、器具下方から器具を見た場合光源が直接視野に入らず、光源から発せられた光が拡散されるため、眩しさによる不快感を軽減することができる。
【００５７】
また、拡散レンズ部０８の内面或いは外面にシボ加工を施すことにより、さらに光源から発せられる光を拡散する効果が向上し、グレアをより緩和できる。
【００５８】
なお本実施例では、拡散レンズ部０８を下面外側に形成したが内側でも良い。また拡散レンズ部０８を光源の中心軸に対し略同心円状に形成したが、直線状などでも良い。また本実施例では、拡散レンズ部０８は乳白色としたが、透明でも良い。
【００５９】
図８は、本発明の第５の実施の形態に係る照明器具の一部破断側面図である。
【００６０】
第２の実施の形態と異なる点は、第二のカバー０６の下方に、透明材料より成る集光レンズ０９を設けた点であり、他は第２の実施の形態と同様に構成されている。
【００６１】
集光レンズ０９の断面形状は、下方に凸のＲ形状となっている。このようなレンズを取付けると、光源から発せられた光が比較的配光角の狭い集光した光となり、特定の物や場所を明るくすることができる。
【００６２】
これにより、１台の器具で全般照明と空間演出を演出する局部照明を兼ねることができ、別途新たにスポットライトなどの器具の購入、取付工事が不要で経済的である。
【００６３】
なお本実施例では、レンズの断面形状を下方に凸のＲ形状としたが、上方のみ凸のＲ形状、或いは上下共凸のＲ形状、或いは上方が凹のＲ形状で下方が凸のＲ形状としても良い。
【００６４】
また、本体０２の前面でかつ光源０４より上方に、アルミ鏡面材からなる断面形状が放物曲線の反射板（図示せず）を配設することにより、さらに反射板からの反射光も加わり、より特定の物や場所を明るくすることができる。
【００６５】
なお反射板はアルミ鏡面材の他、金属や樹脂成形品に反射率の高い塗装や蒸着を施したもの、アルミフィルムを貼り付けたもの、白色の樹脂フィルムを貼り付けたもの、或いは鏡面仕上げの白色の樹脂成形品でも良く、また断面形状も放物曲線としたが、楕円曲線としても良い。
【００６６】
図９、図１０は、本発明の第６の実施の形態に係る照明器具の一部破断側面図、底面図である。
【００６７】
第２の実施の形態と異なる点は、第二のカバー０６は下面が閉じた小径の筒状で、下面内側に遮光部１０を設け、さらに遮光部１０の白熱ランプ０４に対向する側を反射面１１とした点で、他は第２の実施の形態と同様に構成されている。
【００６８】
遮光部１０は、白熱ランプ０４に対向する側が、例えば金属材料の表面をアルミ蒸着や銀蒸着、電解研磨等の手段により鏡面仕上げされている高反射率の面である反射面１１とし、反射面１１と反対の面が、係合、接着剤、両面テープ、ネジ止め等の手段により第二のカバー０６の下面に固定されている。
【００６９】
その結果、遮光部１０により、器具真下から器具を見上げても、白熱ランプ０４が直接視野に入ることが無く、眩しさによる不快感が無くなる。また、遮光部１０の白熱ランプ０４側に向く面を反射面１１としたので、遮光部１０で白熱ランプ０４から発っせられた光が吸収されずに、反射面１１で反射され、第一のカバー０５或いは第二のカバー０６の側面を透過し器具外に放出されるため器具効率が向上する。
【００７０】
図１１、図１２は、本発明の第７の実施の形態に係る照明器具の一部破断側面図、底面図である。
【００７１】
第２の実施の形態と異なる点は、第２のカバーの側面に拡散レンズ１２を設けた点で、他は第２の実施の形態と同様に構成されている。
拡散レンズ１２は、第二のカバー０６の側面の外側全周に、断面が波形で鉛直方向に形成されている。このようなレンズを取付けると、レンズが無い場合に比べ光が拡散される効果が大きくなるため、グレアを生ずる所定方向への光を柔らげ、よりグレアを緩和できる。
【００７２】
また、拡散レンズ１２の内面或いは外面にシボ加工を施すことにより、さらに光源から発せられる光を拡散する効果が向上し、さらにグレアを緩和できる。
【００７３】
なお本実施例では、第二のカバー０６の側面全周拡散レンズとしたが、一部のみでも良い。
【００７４】
以上の実施例において、光源０４を白熱ランプとして説明を行ったが、本発明はこれに限らず、ハロゲンランプ、電球型蛍光ランプ等どの様なランプであっても良い。
【００７５】
また以上の実施例において、第一のカバー０５の形状は筒状としたが、本発明はこれに限らず、下面に開口部があればどのような形状のものであっても良い。
【００７６】
また以上の実施例において、第３の実施例を除き、第二のカバー０６は第一のカバー０５と一体成形であるとしたが、これに限らず第一のカバー０５とは別に成形した後、係止め、接着、溶着、ネジ止め等の手段を用い第一のカバー０５と接合又は勘合されているものでも良い。
【００７７】
また以上の実施例において、照明器具の取付面を天井面としたが、これに限らず壁面でも良い。
【００７８】
【発明の効果】
本発明は上記構成により次の効果を発揮する。
【００７９】
光源と第一のカバーとの間に光源の一部もしくは全体を覆うように光源の周囲に配設された透光性を有する第二のカバーを設けたので、光源が直接視野に入りづらくなるためグレアとなる範囲が狭まり、グレアを生ずる方向である所定方向への光を柔らげるため、グレアを緩和することができる。さらに第二のカバーは透光性を有しているため、光源から照射される光の損失を抑えることができ器具効率が向上する。さらに、第一のカバーの先端をグレアをカットできる最小限の高さ寸法に設定でき、全体的な器具の出っ張り感を抑えられ、器具が空間に与える圧迫感を軽減できるため、器具が小型化でき、意匠性が向上する。
【図面の簡単な説明】
【図１】本発明の第１の実施の形態を示す一部破断側面図である。
【図２】本発明の第１の実施の形態を示す底面図である。
【図３】本発明の第２の実施の形態を示す一部破断側面図である。
【図４】本発明の第３の実施の形態を示す一部破断側面図である。
【図５】本発明の第３の実施の形態を示す底面図である。
【図６】本発明の第４の実施の形態を示す一部破断側面図である。
【図７】本発明の第４の実施の形態を示す底面図である。
【図８】本発明の第５の実施の形態を示す一部破断側面図である。
【図９】本発明の第６の実施の形態を示す一部破断側面図である。
【図１０】本発明の第６の実施の形態を示す底面図である。
【図１１】本発明の第７の実施の形態を示す一部破断側面図図である。
【図１２】本発明の第７の実施の形態を示す底面図である。
【図１３】従来の器具の第１の例を示す一部破断面正面図である。
【図１４】従来の器具の第２の例を示す一部破断面正面図である。
【図１５】従来の器具の第３の例を示す一部破断面正面図である。
【符号の説明】
０１…照明器具、０２…本体、０３…ソケット、０４…ランプ、
０５…第一のカバー、０５ａ…第一のカバー係合部、
０６…第二のカバー、０６ａ…低透過率部、０６ｂ…アーム、
０７…回動固定ネジ、０８，１２…拡散レンズ、０９…集光レンズ、
１０…遮光部、１１…反射面、１３…ハロゲンランプ用ソケット、
１４…ハロゲンランプ、２１…反射板、２２…配光制御具、
２２ａ…配光制御具反射面、２２ｂ…配光制御具上板、
１００…天井面
【図１】
2004103323.tif 000003
【図２】
2004103323.tif 000004
【図３】
2004103323.tif 000005
【図４】
2004103323.tif 000006
【図５】
2004103323.tif 000007
【図６】
2004103323.tif 000008
【図７】
2004103323.tif 000009
【図８】
2004103323.tif 000010
【図９】
2004103323.tif 000011
【図１０】
2004103323.tif 000012
【図１１】
2004103323.tif 000013
【図１２】
2004103323.tif 000014
【図１３】
2004103323.tif 000015
【図１４】
2004103323.tif 000016
【図１５】
2004103323.tif 000017